(57)【要約】【課題】設定対象の項目を一の画面から別の画面に移動することによって当該項目の所在がわからなくなってしまう事態を防止しつつ、保有する項目を編集でき固定タブとともに選択可能に表示される編集可能タブの画面を、ユーザに違和感を与えることなく簡単な操作で表示させることができる、項目設定装置、並びにその制御方法及び制御プログラムを提供する。【解決手段】固定タブとともに選択可能に表示される編集可能タブがユーザにより選択されることによって、編集可能タブの画面にどの項目を表示するかについての表示項目情報、編集可能タブの画面に表示される項目の表示位置に関する表示位置情報、および固定タブが持っている項目情報を用いて、編集可能タブの画面が生成されて表示される。【選択図】図３
2010165300.tif 000002
【特許請求の範囲】
【請求項１】
複数のタブの中から所望のタブを選択することにより切り替え可能な画面に表示される項目においてユーザの操作に基づいて設定を行うための項目設定装置であって、
固定された項目を保有する固定タブの当該項目の表示に関する項目情報を保持する項目情報保持部と、
前記固定タブの項目情報を用いて、ユーザにより選択された固定タブの画面を表示するための固定タブ表示制御部と、
保有する項目を編集でき前記固定タブとともに選択可能に表示される編集可能タブの画面に、前記固定タブが保有する項目のうちのどの項目を表示するかについての表示項目情報、および前記編集可能タブの画面に表示される項目の表示位置に関する表示位置情報を保持する表示情報保持部と、
前記表示項目情報、前記表示位置情報、および前記固定タブの項目情報を用いて、ユーザにより選択された編集可能タブの画面を生成して表示するための編集可能タブ表示制御部と、
を有することを特徴とする項目設定装置。
【請求項２】
前記表示情報保持部は、前記表示項目情報を保持する表示項目情報保持部と、前記表示位置情報を保持する表示位置情報保持部とを有することを特徴とする請求項１に記載の項目設定装置。
【請求項３】
前記項目情報は、前記固定タブが保有する項目についての内容、表示領域の大きさ、および表示位置を含み、
前記編集可能タブ表示制御部は、前記項目情報のうちの、項目についての内容と表示領域の大きさを用いることを特徴とする請求項１または２に記載の項目設定装置。
【請求項４】
前記編集可能タブ表示制御部は、前記表示項目情報により特定される項目を、前記固定タブの項目情報に基づいて、前記表示位置情報により特定される表示位置に配置した画面を生成することを特徴とする請求項１〜３に記載の項目設定装置。
【請求項５】
前記表示位置情報は、ユーザにより編集可能であることを特徴とする請求項１〜４のいずれか１項に記載の項目設定装置。
【請求項６】
前記項目は、印刷条件を設定するための項目であることを特徴とする請求項１〜５のいずれか１項に記載の項目設定装置。
【請求項７】
複数のタブの中から所望のタブを選択することにより切り替え可能な画面に表示される項目においてユーザの操作に基づいて設定を行うための項目設定装置の制御プログラムであって、
固定された項目を保有する固定タブの当該項目の表示に関する項目情報を保持する項目情報保持部に保持されている前記固定タブの項目情報を用いて、ユーザにより選択された固定タブの画面を表示する手順（ａ）と、
保有する項目を編集でき前記固定タブとともに選択可能に表示される編集可能タブの画面に、前記固定タブが保有する項目のうちのどの項目を表示するかについての表示項目情報、および前記編集可能タブの画面に表示される項目の表示位置に関する表示位置情報を保持する表示情報保持部に保持されている前記表示項目情報および前記表示位置情報、並びに前記固定タブの項目情報を用いて、ユーザにより選択された編集可能タブの画面を生成して表示する手順（ｂ）と、
を前記項目設定装置に実行させることを特徴とする制御プログラム。
【請求項８】
前記表示情報保持部は、前記表示項目情報を保持する表示項目情報保持部と、前記表示位置情報を保持する表示位置情報保持部とを有することを特徴とする請求項７に記載の制御プログラム。
【請求項９】
前記項目情報は、前記固定タブが保有する項目についての内容、表示領域の大きさ、および表示位置を含み、
前記手順（ｂ）において、前記項目情報のうちの、項目についての内容と表示領域の大きさが用いられることを特徴とする請求項８または９に記載の制御プログラム。
【請求項１０】
前記手順（ｂ）において、前記表示項目情報により特定される項目を、前記固定タブの項目情報に基づいて、前記表示位置情報により特定される表示位置に配置した画面が生成されることを特徴とする請求項７〜９のいずれか１項に記載の制御プログラム。
【請求項１１】
前記表示位置情報は、ユーザにより編集可能であることを特徴とする請求項７〜１０のいずれか１項に記載の制御プログラム。
【請求項１２】
前記項目は、印刷条件を設定するための項目であることを特徴とする請求項７〜１１のいずれか１項に記載の制御プログラム。
【請求項１３】
請求項７〜１２のいずれか１項に記載の制御プログラムを記録したコンピュータ読み取り可能な記録媒体。
【請求項１４】
複数のタブの中から所望のタブを選択することにより切り替え可能な画面に表示される項目においてユーザの操作に基づいて設定を行うための項目設定装置の制御方法であって、
固定された項目を保有する固定タブの当該項目の表示に関する項目情報を保持する項目情報保持部に保持されている前記固定タブの項目情報を用いて、ユーザにより選択された固定タブの画面を表示するステップ（ａ）と、
保有する項目を編集でき前記固定タブとともに選択可能に表示される編集可能タブの画面に、前記固定タブが保有する項目のうちのどの項目を表示するかについての表示項目情報、および前記編集可能タブの画面に表示される項目の表示位置に関する表示位置情報を保持する表示情報保持部に保持されている前記表示項目情報および前記表示位置情報、並びに前記固定タブの項目情報を用いて、ユーザにより選択された編集可能タブの画面を生成して表示するステップ（ｂ）と、
を有することを特徴とする制御方法。
【請求項１５】
前記表示情報保持部は、前記表示項目情報を保持する表示項目情報保持部と、前記表示位置情報を保持する表示位置情報保持部とを有することを特徴とする請求項１４に記載の制御方法。
【請求項１６】
前記項目情報は、前記固定タブが保有する項目についての内容、表示領域の大きさ、および表示位置を含み、
前記ステップ（ｂ）において、前記項目情報のうちの、項目についての内容と表示領域の大きさが用いられることを特徴とする請求項１５または１６に記載の制御方法。
【請求項１７】
前記ステップ（ｂ）において、前記表示項目情報により特定される項目を、前記固定タブの項目情報に基づいて、前記表示位置情報により特定される表示位置に配置した画面が生成されることを特徴とする請求項１４〜１６のいずれか１項に記載の制御方法。
【請求項１８】
前記表示位置情報は、ユーザにより編集可能であることを特徴とする請求項１４〜１７のいずれか１項に記載の制御方法。
【請求項１９】
前記項目は、印刷条件を設定するための項目であることを特徴とする請求項１４〜１８のいずれか１項に記載の制御方法。
【発明の詳細な説明】
【技術分野】
【０００１】
本発明は、項目設定装置、並びにその制御方法及び制御プログラムに関する。本発明は、特に、複数のタブの中から所望のタブを選択することにより切り替え可能な画面に表示される項目においてユーザの操作に基づいて設定を行うための項目設定装置、並びにその制御方法及び制御プログラムに関する。
【背景技術】
【０００２】
印刷システムにおいて、ユーザがプリンタで印刷を実行する場合、ユーザは、ＰＣ（パーソナルコンピュータ）上でプリンタドライバと呼ばれる制御プログラムを用いて、各設定項目を所望の設定値に設定して印刷条件を設定し、プリンタに印刷を実行させる。プリンタの性能が向上し、さまざまな印刷条件を設定することができるようになるにつれて、プリンタドライバにおける設定項目は増加する傾向にある。
【０００３】
そこで、複数の設定項目を関連機能別に分類しタブで関連付けることにより、プリンタドライバの視認性および操作性を向上させることが行われている。ここで、ユーザが所望の印刷条件を設定する場合、ユーザは、タブを選択して操作画面を切り替え、所望の設定項目を表示させ、当該設定項目の設定（変更）を行っていた。
【０００４】
そのため、ユーザが、異なるタブに関連付けられる複数の設定項目を変更して印刷条件を設定せざるを得ない場合、印刷条件の設定作業が複雑になっていた。
【０００５】
このような背景において、本来属性が異なり相互の設定項目の移動ができない設定項目を、ユーザが意図する設定項目として自由に入れ替え可能にして、属性の異なる設定項目を含む画面をユーザが自在に設計変更できる技術が提案されている（下記特許文献１参照）。
【０００６】
しかしながら、この技術は、一の印刷設定画面内の設定項目を他の画面に移動する技術であり、移動対象の設定項目は元の画面から削除される。このため、ユーザが所望する設定項目をその機能に対応する画面の中で探しても発見できない場合があり、所望する設定項目がどの画面にあるかを探すのに戸惑うという問題がある。
【０００７】
また、ユーザが頻繁に設定する設定項目を登録し、登録された設定項目を特定の操作画面に集約して表示させる技術が提案されている（下記非特許文献１参照）。
【０００８】
しかしながら、この技術のプリンタドライバでは、同一のタブが全ての設定項目を保有する構成となっている。そして、そのタブを選択したときに表示される特定のアイコンをクリックしたときに、ユーザの操作により登録された設定項目のみが限定的に表示される。このため、ユーザにより登録された設定項目を表示させる場合、ユーザは、タブを選択した上で、さらに特定のアイコンをクリックするという煩雑な動作を強いられる。また、通常のプリンタドライバでは、複数の設定項目が機能別に分類されて各タブに関連付けられており、タブの選択により所望の設定項目が表示されるのに対して、この技術のプリンタドライバは、タブの選択のみで所望の設定項目を表示させることができず、操作上の違和感を与えてしまう。
【先行技術文献】
【特許文献】
【０００９】
【特許文献１】特開平１１−５３１３７号公報
【非特許文献】
【００１０】
【非特許文献１】ＥＦＩ社製ＰｏｓｔＳｃｒｉｐｔ３プリンタコントローラのプリンタドライバ、イメージコントローラＩＣ−４０９、［ｏｎｌｉｎｅ］、２００８年９月２９日、Ｋｏｎｉｃａ  Ｍｉｎｏｌｔａ、インターネット＜ＵＲＬ：ｈｔｔｐ：／／ｋｏｎｉｃａｍｉｎｏｌｔａ．ｊｐ／ｂｕｓｉｎｅｓｓ／ｄｏｗｎｌｏａｄ／ｃｏｐｉｅｒｓ／ｅｆｉ／ｄｅｔａｉｌ．ｈｔｍｌ＞
【発明の概要】
【発明が解決しようとする課題】
【００１１】
本発明は上記従来技術の課題に鑑みてなされたものであり、本発明の目的は、設定対象の項目を一の画面から別の画面に移動することによって当該項目の所在がわからなくなってしまう事態を防止しつつ、保有する項目を編集でき固定タブとともに選択可能に表示される編集可能タブの画面を、ユーザに違和感を与えることなく簡単な操作で表示させることができる、項目設定装置、並びにその制御方法及び制御プログラムを提供することにある。
【課題を解決するための手段】
【００１２】
本発明の上記目的は、下記の手段によって達成される。
【００１３】
（１）複数のタブの中から所望のタブを選択することにより切り替え可能な画面に表示される項目においてユーザの操作に基づいて設定を行うための項目設定装置であって、固定された項目を保有する固定タブの当該項目の表示に関する項目情報を保持する項目情報保持部と、前記固定タブの項目情報を用いて、ユーザにより選択された固定タブの画面を表示するための固定タブ表示制御部と、保有する項目を編集でき前記固定タブとともに選択可能に表示される編集可能タブの画面に、前記固定タブが保有する項目のうちのどの項目を表示するかについての表示項目情報、および前記編集可能タブの画面に表示される項目の表示位置に関する表示位置情報を保持する表示情報保持部と、前記表示項目情報、前記表示位置情報、および前記固定タブの項目情報を用いて、ユーザにより選択された編集可能タブの画面を生成して表示するための編集可能タブ表示制御部と、を有することを特徴とする項目設定装置。
【００１４】
（２）前記表示情報保持部は、前記表示項目情報を保持する表示項目情報保持部と、前記表示位置情報を保持する表示位置情報保持部とを有することを特徴とする上記（１）に記載の項目設定装置。
【００１５】
（３）前記項目情報は、前記固定タブが保有する項目についての内容、表示領域の大きさ、および表示位置を含み、前記編集可能タブ表示制御部は、前記項目情報のうちの、項目についての内容と表示領域の大きさを用いることを特徴とする上記（１）または（２）に記載の項目設定装置。
【００１６】
（４）前記編集可能タブ表示制御部は、前記表示項目情報により特定される項目を、前記固定タブの項目情報に基づいて、前記表示位置情報により特定される表示位置に配置した画面を生成することを特徴とする上記（１）〜（３）のいずれか１項に記載の項目設定装置。
【００１７】
（５）前記表示位置情報は、ユーザにより編集可能であることを特徴とする上記（１）〜（４）のいずれか１項に記載の項目設定装置。
【００１８】
（６）前記項目は、印刷条件を設定するための項目であることを特徴とする上記（１）〜（５）のいずれか１項に記載の項目設定装置。
【００１９】
（７）複数のタブの中から所望のタブを選択することにより切り替え可能な画面に表示される項目においてユーザの操作に基づいて設定を行うための項目設定装置の制御プログラムであって、固定された項目を保有する固定タブの当該項目の表示に関する項目情報を保持する項目情報保持部に保持されている前記固定タブの項目情報を用いて、ユーザにより選択された固定タブの画面を表示する手順（ａ）と、保有する項目を編集でき前記固定タブとともに選択可能に表示される編集可能タブの画面に、前記固定タブが保有する項目のうちのどの項目を表示するかについての表示項目情報、および前記編集可能タブの画面に表示される項目の表示位置に関する表示位置情報を保持する表示情報保持部に保持されている前記表示項目情報、および前記固定タブの項目情報を用いて、ユーザにより選択された編集可能タブの画面を生成して表示する手順（ｂ）と、を前記項目設定装置に実行させることを特徴とする制御プログラム。
【００２０】
（８）前記表示情報保持部は、前記表示項目情報を保持する表示項目情報保持部と、前記表示位置情報を保持する表示位置情報保持部とを有することを特徴とする上記（７）に記載の制御プログラム。
【００２１】
（９）前記項目情報は、前記固定タブが保有する項目についての内容、表示領域の大きさ、および表示位置を含み、前記手順（ｂ）において、前記項目情報のうちの、項目についての内容と表示領域の大きさが用いられることを特徴とする上記（８）または（９）に記載の制御プログラム。
【００２２】
（１０）前記手順（ｂ）において、前記表示項目情報により特定される項目を、前記固定タブの項目情報に基づいて、前記表示位置情報により特定される表示位置に配置した画面が生成されることを特徴とする上記（７）〜（９）のいずれか１項に記載の制御プログラム。
【００２３】
（１１）前記表示位置情報は、ユーザにより編集可能であることを特徴とする上記（７）〜（１０）のいずれか１項に記載の制御プログラム。
【００２４】
（１２）前記項目は、印刷条件を設定するための項目であることを特徴とする上記（７）〜（１１）のいずれか１項に記載の制御プログラム。
【００２５】
（１３）上記（７）〜（１２）のいずれか１項に記載の制御プログラムを記録したコンピュータ読み取り可能な記録媒体。
【００２６】
（１４）複数のタブの中から所望のタブを選択することにより切り替え可能な画面に表示される項目においてユーザの操作に基づいて設定を行うための項目設定装置の制御方法であって、固定された項目を保有する固定タブの当該項目の表示に関する項目情報を保持する項目情報保持部に保持されている前記固定タブの項目情報を用いて、ユーザにより選択された固定タブの画面を表示するステップ（ａ）と、保有する項目を編集でき前記固定タブとともに選択可能に表示される編集可能タブの画面に、前記固定タブが保有する項目のうちのどの項目を表示するかについての表示項目情報、および前記編集可能タブの画面に表示される項目の表示位置に関する表示位置情報を保持する表示情報保持部に保持されている前記表示項目情報、および前記固定タブの項目情報を用いて、ユーザにより選択された編集可能タブの画面を生成して表示するステップ（ｂ）と、を有することを特徴とする制御方法。
【００２７】
（１５）前記表示情報保持部は、前記表示項目情報を保持する表示項目情報保持部と、前記表示位置情報を保持する表示位置情報保持部とを有することを特徴とする上記（１４）に記載の制御方法。
【００２８】
（１６）前記項目情報は、前記固定タブが保有する項目についての内容、表示領域の大きさ、および表示位置を含み、前記ステップ（ｂ）において、前記項目情報のうちの、項目についての内容と表示領域の大きさが用いられることを特徴とする上記（１５）または（１６）に記載の制御方法。
【００２９】
（１７）前記ステップ（ｂ）において、前記表示項目情報により特定される項目を、前記固定タブの項目情報に基づいて、前記表示位置情報により特定される表示位置に配置した画面が生成されることを特徴とする上記（１４）〜（１６）のいずれか１項に記載の制御方法。
【００３０】
（１８）前記表示位置情報は、ユーザにより編集可能であることを特徴とする上記（１４）〜（１７）のいずれか１項に記載の制御方法。
【００３１】
（１９）前記項目は、印刷条件を設定するための項目であることを特徴とする上記（１４）〜（１８）のいずれか１項に記載の制御方法。
【発明の効果】
【００３２】
本発明では、固定タブとともに選択可能に表示される編集可能タブがユーザにより選択されることによって、編集可能タブの画面にどの項目を表示するかについての表示項目情報、編集可能タブの画面に表示される項目の表示位置に関する表示位置情報、および固定タブが持っている項目情報を用いて、編集可能タブの画面が生成されて表示される。
【００３３】
したがって、設定対象の項目を一の画面から別の画面に移動することによって当該項目の所在がわからなくなってしまう事態を防止しつつ、保有する項目を編集でき固定タブとともに選択可能に表示される編集可能タブの画面を、ユーザに違和感を与えることなく簡単な操作で表示させることが可能となる。結果として、項目の設定作業におけるユーザの操作時間や操作ミスを低減することができる。
【図面の簡単な説明】
【００３４】
【図１】本発明の一実施形態にかかる印刷システムの全体構成を示すブロック図である。
【図２】図１に示されるＰＣの構成を示すブロック図である。
【図３】プリンタドライバの基本構成を示す図である。
【図４】印刷設定画面の表示処理の手順を示すフローチャートである。
【図５】項目情報の一例を示す図である。
【図６】固定タブの画面の一例を示す図である。
【図７】編集可能リストの一例を示す図である。
【図８】グループ情報リストの一例を示す図である。
【図９】各設定項目の情報をテーブルで示す図である。
【図１０】編集画面の一例を示す図である。
【図１１】編集可能タブの画面上で直接的に画面編集の指示を行う場合を説明するための図である。
【図１２】固定タブの画面上で編集可能タブの画面の編集指示を行う場合を説明するための図である。
【図１３】表示項目リストの一例を示す図である。
【図１４】編集可能タブの画面の表示処理の手順を示すフローチャートである。
【図１５】編集後の表示項目リストの一例を示す図である。
【図１６】図１３の表示項目リストの状態を表示した編集可能タブの画面の一例を示す図である。
【図１７】図１３の表示項目リストの状態を表示した後、図１５の表示項目リストへと編集した状態を表示した編集可能タブの画面の一例を示す図である。
【発明を実施するための形態】
【００３５】
以下、本発明の実施形態を、図面を参照して詳細に説明する。
【００３６】
図１は、本発明の一実施形態にかかる印刷システムの全体構成を示すブロック図である。
【００３７】
図１に示すように、本実施形態にかかる印刷システムは、ＰＣ１とプリンタ２Ａ、２Ｂ、２Ｃとを備え、ネットワーク３を介して相互に通信可能に接続されている。なお、ネットワーク３に接続される機器の種類および台数は、図１に示す例に限定されない。また、ＰＣ１は、ネットワーク３を介することなく、プリンタ２Ａ、２Ｂ、２Ｃと直接機器間で接続（ローカル接続）されていてもよい。
【００３８】
ネットワーク３は、たとえば、イーサネット（登録商標）、トークンリング、およびＦＤＤＩ等の規格によりコンピュータやネットワーク機器同士を接続したＬＡＮ、またはＬＡＮ同士を専用線で接続したＷＡＮ等の各種のネットワークからなる。
【００３９】
図２は、図１に示されるＰＣの構成を示すブロック図である。ＰＣ１は、ＣＰＵ１１、ＲＯＭ１２、ＲＡＭ１３、ハードディスク１４、ディスプレイ１５、入力装置１６、および通信インタフェース１７を備えており、これらは信号をやり取りするためのバス１８を介して相互に接続されている。
【００４０】
ＣＰＵ１１は、プログラムにしたがって上記各部の制御や各種の演算処理を実行する。ＲＯＭ１２は、各種プログラムおよび各種データを格納する。ＲＡＭ１３は、作業領域として一時的にプログラムおよびデータを記憶する。ハードディスク１４は、オペレーティングシステム（ＯＳ）を含む各種プログラムおよび各種データを格納する。
【００４１】
ディスプレイ１５は、ＣＲＴあるいはＬＣＤ等であり、各種の情報を表示する。入力装置１６は、マウス等のポインティングデバイス、およびキーボードを含み、各種の入力を行うために使用される。
【００４２】
通信インタフェース１７は、ネットワーク３を介してプリンタ２Ａ、２Ｂ、２Ｃ等の他の機器と通信するためのインタフェースであり、イーサネット（登録商標）、トークンリング、ＦＤＤＩ等の規格によるネットワークインタフェースのほか、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２．１１、ＨｏｍｅＲＦ、ＩｒＤＡ等の無線通信インタフェース等の各種ローカル接続インタフェース、電話回線に接続するための電話回線インタフェース等が用いられ得る。
【００４３】
ハードディスク１４には、文書ファイル作成アプリケーションとプリンタドライバとがインストールされている。プリンタドライバは、後述する印刷設定画面を用いたユーザの操作に基づいて、印刷条件を設定するとともに、文書ファイル作成アプリケーションから渡された文書ファイルに基づいて、プリンタ２Ａ、２Ｂ、２Ｃで処理可能な形式の印刷ジョブを生成する。
【００４４】
なお、ＰＣ１は、上記構成要素以外の構成要素を含んでいてもよく、あるいは、上記構成要素のうちの一部が含まれていなくてもよい。
【００４５】
プリンタ２Ａ、２Ｂ、２Ｃは、ＰＣ１で生成された印刷ジョブを、ネットワーク３を介して受信し、印刷ジョブに従って印刷処理を行う。
【００４６】
図３は、プリンタドライバの基本構成を示す図である。
【００４７】
プリンタドライバ１００は、ホストコンピュータであるＰＣ１のＯＳ上にインストールされ、印刷ジョブを生成するソフトウェアである。プリンタドライバ１００によれば、ユーザインターフェースを介して、対応するプリンタに搭載された機能を利用するための設定を実行でき、設定に従って印刷ジョブを作成しプリンタに送信することができる。
【００４８】
プリンタドライバ１００は、印刷機能設定部１０１と、印刷データ生成部１０２とを有している。
【００４９】
印刷機能設定部１０１は、ユーザが所望の印刷条件を設定することができる画面（ＧＵＩ）を提供する。本実施形態のプリンタドライバ１００により表示される画面には、固定された項目を保有し当該項目の表示位置が固定されている固定タブと、保有する項目を編集でき当該項目の表示位置が編集可能な編集可能タブとがユーザにより選択可能に表示される。編集可能タブがユーザにより選択されると、編集可能タブに関連付けられた画面（編集可能タブの画面）が表示され、固定タブがユーザにより選択されると、固定タブに関連付けられた画面（固定タブの画面）が表示される。これらの画面上で設定された情報は、印刷データ生成部１０２に渡される。
【００５０】
印刷データ生成部１０２は、ＯＳ上にインストールされたアプリケーションで作成された文書ファイルに基づいて、プリンタ２Ａ〜２Ｃで処理可能な形式の印刷ジョブを生成する。
【００５１】
図３に示すように、印刷機能設定部１０１は、項目情報保持部１０６、固定タブ表示制御部１０３、表示項目情報保持部１０８、表示位置情報保持部１０７、編集可能タブ表示制御部１０４、表示項目編集部１０５、画面編集指示部１１２、およびグループ情報保持部１０９を含む。
【００５２】
項目情報保持部１０６は、固定タブに登録されている項目の表示に関する項目情報を保持する。項目情報は、具体的には、各項目（「コントロール」とも呼ばれる）についての、ＩＤ、種類（テキスト、ラジオボタン、チェックボックス、イメージ等）、表示位置（座標）、表示領域の大きさ（縦横の長さ）、表示文字列等の情報である。
【００５３】
固定タブ表示制御部１０３は、固定タブの項目情報を読み込んで、特定の固定タブの画面を表示する制御を行う。
【００５４】
表示項目情報保持部１０８は、編集可能タブの画面に、固定タブが保有する項目のうちのどの項目を表示するかについての表示項目情報を保持する。
【００５５】
表示位置情報保持部１０７は、編集可能タブの画面に表示される項目の表示位置に関する表示位置情報を保持する。
【００５６】
編集可能タブ表示制御部１０４は、編集可能タブの画面を表示する制御を行う。
【００５７】
表示項目編集部１０５は、編集可能タブの画面に表示される項目についての追加、移動または削除等の編集を行う。すなわち、具体的には、表示項目編集部１０５は、編集可能タブの画面に表示される項目および表示位置を編集する。
【００５８】
画面編集指示部１１２は、編集可能タブの画面に表示される項目についての編集のユーザによる指示を受け付ける。そして、画面編集指示部１１２は、ユーザから編集可能タブの画面に表示する項目および表示位置を変更する命令があった場合、表示項目編集部１０５に画面編集の指示を出す。
【００５９】
グループ情報保持部１０９は、プリンタドライバにより表示される全ての項目について、当該項目がどの設定項目（機能）のグループに属するかを示すグループ情報を保持する。ここで、設定項目は、複数の項目（コントロール）から構成されている。
【００６０】
印刷機能設定部１０１、および印刷データ生成部１０２は、ハードディスク１４に記憶されているプログラムがＲＡＭ１３上に読み出されてＣＰＵ１１によって実行されることによりその機能が発揮される。項目情報保持部１０６、表示項目情報保持部１０８、表示位置情報保持部１０７、およびグループ情報保持部１０９には、所定の記憶領域がそれぞれ割り当てられる。
【００６１】
次に、図４を参照して、印刷機能設定部１０１の動作について説明する。
【００６２】
図４は、印刷設定画面の表示処理の手順を示すフローチャートである。
【００６３】
まず、固定タブの項目情報が読み込まれる（Ｓ１０１）。
【００６４】
図５は、項目情報の一例を示す。ここでは、項目情報の一部として、「基本設定」タブ情報２１０および「レイアウト」タブ情報２２０が例示されている。また、「基本設定」タブ情報２１０には「原稿の向き」情報２１１、および「原稿サイズ」情報２１２が含まれ、「レイアウト」タブ情報２２０には「ページ割付」情報２２１が含まれている。
【００６５】
続いて、編集可能タブが存在するか否かが判断される（Ｓ１０２）。
【００６６】
編集可能タブの有無の設定は、プリンタドライバの開発時だけでなく、ユーザ（または管理者）によって行われ得る。プリンタドライバ開発時に編集可能タブ無しと設定された場合、固定タブのみのプリンタドライバ（通常のプリンタドライバと同じ）となる。また、編集可能タブを有するプリンタドライバにおいて、ユーザが編集可能タブ無しと設定した場合、編集可能タブは画面に表示されない。
【００６７】
編集可能タブが存在しない場合（Ｓ１０２：ＮＯ）、読み込んだ項目情報をもとに固定タブの画面が表示される（Ｓ１０３）。
【００６８】
編集可能タブが存在する場合（Ｓ１０２：ＹＥＳ）、編集可能タブ（図６では「Ｍｙタブ」と表示されている）が選択されているか否かが判断される（Ｓ１０４）。
【００６９】
なお、本実施形態のプリンタドライバ１００では、利便性を考慮して、起動時に編集可能タブを最初に表示する設定とされているが、固定タブを最初に表示させる設定とすることも可能である。
【００７０】
編集可能タブが選択されておらず、固定タブが選択されている場合（Ｓ１０４：ＮＯ）、読み込んだ項目情報を用いて固定タブの画面が表示される（Ｓ１０５）。
【００７１】
図６は、固定タブの画面３００の一例を示す。
【００７２】
図６では、基本設定タブの画面が、項目情報２００（図５参照）の「基本設定」タブ情報２１０にしたがって表示されている。各設定項目についても、「原稿の向き」３０１は、項目情報２００の「原稿の向き」情報２１１、「原稿サイズ」３０２は、項目情報２００の「原稿サイズ」情報２１２にしたがって表示される。
【００７３】
編集可能タブが選択されている場合（Ｓ１０４：ＹＥＳ）、編集可能タブの画面の表示処理が行われる（Ｓ１０８）。ここで、編集可能タブの画面は、グループ単位で一括して表示される。この編集可能タブの画面の表示処理についての詳細は後述する。
【００７４】
ステップＳ１０９では、編集可能タブに登録する項目を編集するためのユーザの操作があったか否かが判断される。
【００７５】
編集可能タブの項目を編集せずに（Ｓ１０９：ＮＯ）、編集可能タブの画面を終了させる場合、ユーザによるタブの選択の切り替えがあったか否かが判断される（Ｓ１１１）。
【００７６】
タブの選択が切り替えられた場合（Ｓ１１１：ＹＥＳ）、Ｓ１０４の処理に戻る。
【００７７】
タブの選択の切り替えではない場合（Ｓ１１１：ＮＯ）、例えば設定完了、設定キャンセル、あるいは印刷開始についてのユーザの操作により、図４の処理は終了する。
【００７８】
一方、編集可能タブを有する場合には、編集可能タブに登録することにより編集可能タブの画面に表示する項目を追加あるいは編集することができる（Ｓ１０６、Ｓ１０９）。
【００７９】
図７は、編集可能タブに登録することが可能な全項目のリスト（編集可能リスト）の一例を示す。この編集可能リスト４００には、全てのタブに共通の項目（用紙ビュー等）や、固定タブに専用の項目は含まれていない。なお、図７の右方に示される破線枠内の記述は、説明のみのためのものであって実体的なデータは存在しない（以降の図における破線枠内の記述も同様である）。
【００８０】
図８は、複数の項目（コントロール）の各々がどの設定項目のグループに属するかについてのグループ情報を示すリスト（グループ情報リスト）の一例を示す。例えば、「原稿の向き」３０１（図６参照）という設定項目は、図８のグループ情報リスト４１０中の符号「４１１」で示すように、グループボックス、２つのラジオボタン、およびイメージという複数の項目から構成されている。つまり、１つの設定項目は複数の項目のグループから成るということが言える。このように、機能としてまとまりのある複数の項目をグループとして扱うために、本実施形態ではグループを代表する項目、すなわちグループの親項目を定め、親項目を用いてグループ単位で設定項目を扱っている。例えば、図６の「原稿の向き」３０１の設定項目では、「”原稿の向き”グループボックス」が親項目であり、「原稿サイズ」３０２の設定項目では、「”原稿サイズ”テキスト」が親項目である（図５参照）。
【００８１】
以下の説明では、グループとしての設定項目の名称（ＩＤは親項目で記述される）が記載されるが、その場合、グループ内の全ての項目が同時に処理される。なお、グループ情報リスト４１０は、前述した項目情報２００、あるいは編集可能リスト４００に組み込まれた構成とされてもよい。
【００８２】
ステップＳ１０９において編集可能タブに登録する項目を編集するためのユーザの操作があったと判断された場合（Ｓ１０９：ＹＥＳ）、表示項目リストが更新されて（Ｓ１１０）、ステップＳ１０８に戻る。表示項目リストは、編集可能タブの画面に、固定タブが保有する項目のうちのどの項目を表示するかについての表示項目情報のリストである（図１３参照）。
【００８３】
ステップＳ１０６では、編集可能タブに登録する項目を追加するためのユーザの操作があったか否かが判断される。編集可能タブに登録する項目を追加するためのユーザの操作が無いと判断された場合（Ｓ１０６：ＮＯ）、ステップＳ１１１に進む。
【００８４】
ステップＳ１０６において編集可能タブに登録する項目を追加するためのユーザの操作があったと判断された場合（Ｓ１０６：ＹＥＳ）、表示項目リストが更新されて（Ｓ１０７）、ステップＳ１１１に進む。
【００８５】
編集可能タブの画面に表示する項目およびその表示位置を編集する方法としては、編集画面を表示して編集する方法（ａ）と、編集可能タブの画面内の項目を右クリックすることにより表示されるメニューを用いて、設定項目の上下左右への移動あるいは削除を行う方法（ｂ）とがある。さらに、固定タブの画面内の項目を右クリックすることにより表示されるメニューを用いて、設定項目の追加を行う方法（ｃ）もある。このように、設定項目内の任意の項目をクリックすることにより、クリックされた項目が属する設定項目全体の編集の指示が行われる。
【００８６】
ここで、編集可能タブに登録する項目の編集処理について説明する。編集可能タブに登録された項目は、編集可能タブの画面に表示されることになる。
【００８７】
（ａ）の方法では、まず図１０に示されるような編集可能タブの画面を編集するための編集画面の表示が行われる。編集画面５００の上方表示部５０１には、編集可能リスト４００（図７）を参照して、編集可能タブの画面に表示することが可能な全項目のリストが表示される。ここで参照する編集可能リスト４００は、複数の項目から構成され印刷機能を司るグループとしての設定項目を代表する親項目のリストであり、図１０の上方表示部５０１にはグループの親項目が表示される（下方表示部５０３においても同様である）。
【００８８】
また、編集画面５００の下方表示部５０３には、実際に編集可能タブに登録されて当該編集可能タブの画面に表示される項目のリストが表示される。初期状態では、元々編集可能タブに登録されていた項目がこの下方表示部５０３に表示される。編集可能タブを編集することで、実際の編集可能タブの画面における項目の追加あるいは配置変更を行うことが可能である。
【００８９】
編集画面５００の上方表示部５０１で項目を選択し、「左へ」ボタン５０２ａを押すと下方表示部５０３の左側にその項目が追加される（この場合、編集可能タブの画面の左側にその項目が追加される）。また、「右へ」ボタン５０２ｂを押すと下方表示部５０３の右側にその項目が追加される（この場合、編集可能タブの画面の右側にその項目が追加される）。また、「上へ」・「下へ」・「左右移動」ボタン５０５を押下することで編集可能タブの画面における項目の表示位置を変更することができる。さらに、「削除」ボタン５０６を押下することで下方表示部５０３のリストから選択対象の項目を削除することができる。
【００９０】
最終的に「ＯＫ」ボタン５０４を押すと、下方表示部５０３の情報に従って編集可能タブの画面上の表示を変更するように画面編集指示が出される。
【００９１】
（ｂ）の方法では、図１１に示すように、編集可能タブの画面上で直接的に画面編集の指示が行われる。
【００９２】
編集の対象となる項目６１０の上で右クリックすると、メニュー６２０が表示される。ユーザは、メニューリスト中の「左へ」・「右へ」・「上へ」・「下へ」のいずれかを選択することにより、その項目を編集可能タブの画面内のどちら側に移動させるかを指定でき、「削除」を選択することにより、その項目を編集可能タブの画面から削除することができる。
【００９３】
このメニュー６２０において項目に対しての命令が行われると、まず、グループ情報リスト４１０（図８参照）が参照される。そして、その項目がどのグループに属するかが調べられ、グループの親項目のＩＤが取得される。ここで、グループ情報リストは、前述したように、その機能のグループに属する親項目および子項目を１まとまりとして管理するためのリストである。すなわち、グループにはグループを代表する１つの親項目と複数の子項目が存在する。図８に示すグループ情報リスト４１０中の符号「４１１」はこのリストにおけるグループの１まとまりを示した例である。続いて、取得した親項目のＩＤとメニュー６２０からの命令に従って、編集可能タブの画面上の表示を変更するように画面編集指示が出される。
【００９４】
（ｃ）の方法では、図１２に示すように、固定タブの画面上で、編集可能タブの画面の編集指示が行われる（Ｓ１０６参照）。
【００９５】
固定タブの画面内に存在する項目のうちで編集可能タブの画面に追加したい項目３１０の上で右クリックすると、メニュー３２０が表示される。ユーザは、メニューリスト中の「左へ」を選択することにより編集可能タブの画面の左側に、「右へ」を選択することにより編集可能タブの画面の右側に、その対象の項目を追加することを指定することができる。なお、追加される項目は、既に表示されている項目の最後尾に追加される。
【００９６】
このメニュー３２０において項目に対しての命令が行われると、（ｂ）の方法の場合と同様に、グループ情報リスト４１０（図８参照）が参照される。そして、その項目がどのグループに属するかが調べられ、グループの親項目のＩＤが取得される。続いて、取得した親項目のＩＤとメニュー３２０からの命令に従って、編集可能タブの画面上の表示を変更するように画面編集指示が出される。
【００９７】
上記のように、本実施形態では、編集可能タブの画面に表示される項目についての追加、移動または削除等の編集のユーザによる指示は、予め保持しているグループ情報に基づき、グループ単位で一括して受け付けられる。
【００９８】
画面編集指示が出されると、前述したように、表示項目リストの更新が行われる（Ｓ１０７、Ｓ１１０）。
【００９９】
図１３は表示項目リストの一例を示す。この表示項目リスト４３０ａは、編集可能タブの画面上の表示（配置）位置情報も兼ねている。すなわち、表示項目リストは、編集可能タブの画面に、固定タブが保有する項目のうちのどの項目を表示するかについての表示項目情報、および編集可能タブの画面に表示される項目の表示位置に関する表示位置情報を保持する表示情報保持部として機能する。
【０１００】
表示項目リスト４３０ａでは、編集可能タブの画面上の左上から順に複数の項目から成るグループとしての設定項目を代表する親項目のＩＤが並べられている。表示項目リスト上の「−１」以前のＩＤが示す項目は編集可能タブの画面の左側に、表示項目リスト上の「−１」と「０」の間のＩＤが示す項目は編集可能タブの画面の右側に配置される。図１３は、編集可能タブの画面の左側に「用紙サイズ」「給紙トレイ」「ページ割付」の順に、編集可能タブの画面の右側に「ステープル」「中とじ」の順に、各項目が表示されることを意味している。この表示項目リストの情報に従って編集可能タブの画面の表示が変更されることとなる。具体的には、親項目が示すグループに属する子項目も、親項目とともにひとまとめにされて処理が施される。つまり、本実施形態では、編集可能タブの画面に表示される項目についての追加、移動または削除等の編集は、予め保持しているグループ情報に基づき、グループ単位で一括して行われる。
【０１０１】
表示項目リストの更新（Ｓ１０７、Ｓ１１０）の後、その時点で編集可能タブの画面を表示している状態であればその直後に、その時点で固定タブの画面を表示している状態であれば次回編集可能タブの画面へ表示が切り替えられた直後に、新しい表示項目リストに基づいた編集可能タブの画面の表示処理が行われる（Ｓ１０８）。
【０１０２】
図９は、以上説明した項目情報、編集可能リスト、およびグループ情報リストに基づいて、各項目の情報をテーブルで示す図である。図９に示される項目情報テーブル４２０において、グループ化された状態での設定項目の高さ、幅、Ｘ、Ｙは、固定タブの画面に表示される場合の座標値を示す。以下においては、図９の設定項目情報を使用して説明する。
【０１０３】
次に、図１４を参照して、編集可能タブの画面の表示処理について説明する。
【０１０４】
ここでは、以下の２つの例について説明する。１つ目の例は、図１３の表示項目リスト４３０ａの状態を表示する場合である。２つ目の例は、図１３の表示項目リスト４３０ａの状態を表示した後、図１５の表示項目リスト４３０ｂへと編集した状態を表示する場合である。
【０１０５】
１つ目の例について説明する。まず、編集可能タブの画面に表示した項目が全て削除される（Ｓ２０１）。但し、ここでは、初めて編集可能タブの画面を表示する場合を想定しており、削除対象の項目は無い。
【０１０６】
続いて、最初の項目を表示するために必要な座標の初期値が与えられる（Ｓ２０２）。ここでは、まず編集可能タブの画面の左側表示領域に最初の項目を表示するために必要な座標の初期値が、Ｘ＝１５０、Ｙ＝３０とされる。座標の単位はピクセルであるが、ポイント等の他の単位も使用可能である。「Ｎ」は、表示項目リスト４３０ａにおける登場順位（左側表示領域と右側表示領域とで別々に与えられる）であり、その初期値はＮ＝１である。
【０１０７】
ステップＳ２０３では、表示項目リスト４３０ａ（図１３参照）から、Ｎ番目のＩＤが取得される。具体的には、まず左側１番目のＩＤとして、ここでは「ＩＤＣ＿ＰＡＰＥＲＳＩＺＥ＿ＳＴ」（用紙サイズ）が取得される。
【０１０８】
続いて、取得したＩＤの項目についての固定タブの項目情報が読み込まれる（Ｓ２０４）。ここでは、まず表示項目リスト４３０ａの左側１番目のＩＤについて、固定タブの項目情報２００から、グループ情報リスト４１０を参照しつつ、「ＩＤＣ＿ＰＡＰＥＲＳＩＺＥ＿ＳＴ」の情報が取得される。「ＩＤＣ＿ＰＡＰＥＲＳＩＺＥ＿ＳＴ」の設定項目は、テキストおよびコンボボックスのコントロールで構成されており、幅１２０、高さ２５である。なお、ここで取得される固定タブの画面上の座標値（図９のＸ、Ｙ）は使用されない。
【０１０９】
そして、表示項目リスト４３０ａに挙げられている項目を、取得された固定タブの項目情報に基づいて、座標（Ｘ，Ｙ）で特定される表示位置に配置した編集可能タブの画面が生成される（Ｓ２０５）。これにより、固定タブとしての基本設定タブに登録されている「用紙サイズ」の設定項目が、編集可能タブの画面にコピーされて表示されることになる。
【０１１０】
続いて、Ｙに設定項目の高さとスペースとを足し、Ｎに１を足す（Ｓ２０６）。スペースは１０とされるが、適宜変更され得る。
ここでは、Ｙ＝３０＋２５＋１０＝６５、Ｎ＝２となる。
【０１１１】
ステップＳ２０７では、表示項目リスト４３０ａにおける最後の項目の処理が終了したか否かが判断される。
【０１１２】
最後の項目の処理が未だ終了していない場合（Ｓ２０７：ＮＯ）、ステップＳ２０３に戻る。
【０１１３】
例えば表示項目リスト４３０ａの左側１番目の項目の処理が終了したとき、最後の項目の処理が未だ終了していないため、左側２番目の項目の処理が行われる。この左側２番目の項目の処理によって、「ＩＤＣ＿ＩＮＰＵＴＴＲＡＹ＿ＳＴ」（給紙トレイ）の設定項目が、座標（１５０，６５）に表示される。
【０１１４】
このようにステップＳ２０３〜Ｓ２０７が繰り返されて、最後の「ＩＤＣ＿ＮＵＰ＿ＣＫ」（ページ割付）の設定項目の表示処理が終了すると（Ｓ２０７：ＹＥＳ）、図１４の処理が終了する。
【０１１５】
同様にして、編集可能タブの画面の右側表示領域に項目を表示する処理が行われる。ここでは、最初の項目を表示するために必要な座標の初期値は、Ｘ＝２８０、Ｙ＝３０とされる。そして、編集可能タブの画面の右側表示領域に、「ＩＤＣ＿ＳＴＡＰＬＥ＿ＣＫ」（ステープル）の設定項目、および「ＩＤＣ＿ＳＴＩＴＣＨ＿ＣＫ」（中とじ）の設定項目が表示されて終了する。
【０１１６】
図１６は、図１３の表示項目リスト４３０ａの状態を表示した編集可能タブの画面６００ａの一例を示す。
【０１１７】
次に、２つ目の例について説明する。まず、編集可能タブの画面に表示した項目が全て削除される（Ｓ２０１）。ここでは、１つ目の例で表示された項目が削除される。
【０１１８】
続いて、１つ目の例と同様に、最初の項目を表示するために必要な座標の初期値が与えられる（Ｓ２０２）。初期値として、左側表示領域の座標はＸ＝１５０、Ｙ＝３０とされ、右側表示領域の座標はＸ＝２８０、Ｙ＝３０とされ、スペースは１０とされる。
【０１１９】
ステップＳ２０３では、表示項目リスト４３０ｂ（図１５参照）から、Ｎ番目のＩＤが取得される。具体的には、まず左側１番目のＩＤとして、ここでは「ＩＤＣ＿ＰＵＮＣＨ＿ＣＫ」（パンチ）が取得される。
【０１２０】
続いて、取得したＩＤの項目についての固定タブの項目情報が読み込まれる（Ｓ２０４）。ここでは、まず表示項目リスト４３０ｂの左側１番目のＩＤについて、固定タブの項目情報２００から、グループ情報リスト４１０を参照しつつ、「ＩＤＣ＿ＰＵＮＣＨ＿ＣＫ」の情報が取得される。「ＩＤＣ＿ＰＵＮＣＨ＿ＣＫ」の設定項目は、チェックボックスのコントロールを含んでおり、幅１２０、高さ３０である。ここで、取得される固定タブの画面上の座標値は使用されない。
【０１２１】
そして、表示項目リスト４３０ｂに挙げられている項目を、取得された固定タブの項目情報に基づいて、座標（Ｘ，Ｙ）で特定される表示位置に配置した編集可能タブの画面が生成される（Ｓ２０５）。これにより、固定タブとしての基本設定タブに登録されている「パンチ」の設定項目が、編集可能タブの画面にコピーされて表示されることになる。
【０１２２】
続いて、Ｙに設定項目の高さとスペースとを足し、Ｎに１を足す（Ｓ２０６）。
ここでは、Ｙ＝３０＋３０＋１０＝７０、Ｎ＝２となる。
【０１２３】
ステップＳ２０７では、表示項目リスト４３０ｂにおける最後の項目の処理が終了したか否かが判断される。
【０１２４】
最後の項目の処理が未だ終了していない場合（Ｓ２０７：ＮＯ）、ステップＳ２０３に戻る。
【０１２５】
例えば表示項目リスト４３０ｂの左側１番目の項目の処理が終了したとき、最後の項目の処理が未だ終了していないため、左側２番目の項目の処理が行われる。この左側２番目の項目の処理によって、「ＩＤＣ＿ＳＴＡＰＬＥ＿ＣＫ」（ステープル）の設定項目が、座標（１５０，７０）に表示される。
【０１２６】
このようにステップＳ２０３〜Ｓ２０７が繰り返されて、最後の「ＩＤＣ＿ＩＮＰＵＴＴＲＡＹ＿ＳＴ」（給紙トレイ）の設定項目の表示処理が終了すると（Ｓ２０７：ＹＥＳ）、図１４の処理が終了する。
【０１２７】
同様にして、編集可能タブの画面の右側表示領域に設定項目を表示する処理が行われる。
【０１２８】
図１７は、図１３の表示項目リスト４３０ａの状態を表示した後、図１５の表示項目リスト４３０ｂへと編集した状態を表示した編集可能タブの画面６００ｂの一例を示す。
【０１２９】
以上説明したように、本実施形態では、固定タブとともに選択可能に表示される編集可能タブがユーザにより選択されることによって、編集可能タブの画面にどの項目を表示するかについての表示項目情報、編集可能タブの画面に表示される項目の表示位置に関する表示位置情報、および固定タブが持っている項目情報を用いて、編集可能タブの画面が生成されて表示される。
【０１３０】
したがって、設定対象の項目を一の画面から別の画面に移動することによって当該項目の所在がわからなくなってしまう事態を防止しつつ、保有する項目を編集でき固定タブとともに選択可能に表示される編集可能タブの画面を、ユーザに違和感を与えることなく簡単な操作で表示させることが可能となる。結果として、項目の設定作業におけるユーザの操作時間や操作ミスを低減することができる。
【０１３１】
本発明は、上記した実施の形態のみに限定されるものではなく、特許請求の範囲内において、種々改変することができる。
【０１３２】
例えば、上記実施形態では、編集可能タブの画面に、前記固定タブが保有する項目のうちのどの項目を表示するかについての表示項目情報と、編集可能タブの画面に表示される項目の表示位置に関する表示位置情報との両方が、表示項目リストに保持されているが、本発明はこれに限定されず、別々の記憶領域に保持されていてもよい。
【０１３３】
また、上記実施形態では、印刷条件を設定するための項目においてユーザの操作に基づいて設定を行うための項目設定装置について説明したが、本発明はこれに限定されない。本発明は、例えば他のサービスの条件を設定するための項目においてユーザの操作に基づいて設定を行うための項目設定装置にも適用され得る。
【０１３４】
本実施形態の項目設定装置における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、項目設定装置の一機能としてその装置のソフトウェアに組み込まれてもよい。
【符号の説明】
【０１３５】
１  ＰＣ、
２Ａ，２Ｂ，２Ｃ  プリンタ、
３  ネットワーク、
１１  ＣＰＵ
１２  ＲＯＭ、
１３  ＲＡＭ、
１４  ハードディスク、
１５  ディスプレイ、
１６  入力装置、
１７  通信インタフェース、
１８  バス、
１００  プリンタドライバ、
１０１  印刷機能設定部、
１０２  印刷データ生成部、
１０３  固定タブ表示制御部、
１０４  編集可能タブ表示制御部、
１０５  表示項目編集部、
１０６  項目情報保持部、
１０７  表示位置情報保持部、
１０８  表示項目情報保持部、
１０９  グループ情報保持部、
１１２  画面編集指示部、
２００  項目情報、
３００  固定タブの画面、
４００  編集可能リスト、
４１０  グループ情報リスト、
４２０  項目情報テーブル、
４３０ａ，４３０ｂ  表示項目リスト、
５００  編集画面、
６００ａ，６００ｂ  編集可能タブの画面。
【図１】
2010165300.tif 000003
【図２】
2010165300.tif 000004
【図３】
2010165300.tif 000005
【図４】
2010165300.tif 000006
【図５】
2010165300.tif 000007
【図７】
2010165300.tif 000008
【図８】
2010165300.tif 000009
【図９】
2010165300.tif 000010
【図１０】
2010165300.tif 000011
【図１１】
2010165300.tif 000012
【図１２】
2010165300.tif 000013
【図１３】
2010165300.tif 000014
【図１４】
2010165300.tif 000015
【図１５】
2010165300.tif 000016
【図６】
2010165300.tif 000017
【図１６】
2010165300.tif 000018
【図１７】
2010165300.tif 000019